(57)【要約】本発明は、抽出原料の不溶分のための保持容積をもつ抽出飲料の準備のための容器に関するもので、斜面として形成された内部底部をもつ容器本体から成り、該斜面はその垂線の足で保持容積に繋がっている。発明によると該保持容積は、ストック空間として形成され、これは斜面の下に位置する平坦な底部セクション、斜面に向かう連接セクションならびに該連接セクションに対向して、注いだり飲んだりする際に効果を発揮する保持セクションを有し、抽出液体の水面が抽出原料の不溶分のレベルより下がることを防いでいる。【選択図】図５
2017511741.tif 000002
【特許請求の範囲】
【請求項１】
その垂線の足で保持容積(1)に繋がっている斜面(2)として形成された底部をもつ容器本体からなり、抽出原料不溶分のための保持容積(1)を備える抽出飲料の準備のための容器 (10)であり、
保持容積がストック空間(12)として形成され、該ストック空間(12)が、該斜面(2)の下部にある平坦な底部セクション(13)、該斜面(2)に向かって設けられた連接セクション(14)ならびに該連接セクション(14)に対向して、注いだり飲んだりする際に効果を発揮する膨らんだ保持セクション(15)を備え、熱湯等を注いで抽出された液体の水面が抽出原料不溶分のレベルより下に下がるのを防ぐことを特徴とする抽出原料不溶分のための保持容積(1)を備える抽出飲料の準備のための容器 (10)。
【請求項２】
該容器が、ストック空間(12)の上方の容器本体の上部の縁(16)に形成された管状の注ぎ口(11)を有するとともに、ストック空間(12)にある抽出原料構成要素が流れにより拡散するのを抑制するために、保持セクション(15)と注ぎ口 (11)の間にロートセグメント(18)に繋がっている凹部(17)が設けられていることを特徴とする請求項1に記載の容器。
【請求項３】
該容器はストック空間(12) の上方に段上の凹凸部(5)をもつことを特徴とする請求項1または2に記載の容器。
【請求項４】
該容器本体が円筒形、一部円筒形または楕円形の形状であることを特徴とする前項のいずれかに記載の容器。
【請求項５】
該斜面(2)が抽出面として形成されていることを特徴とする前項のいずれかに記載の容器。
【請求項６】
該容器が飲用器または抽出ポットとして形成されていることを特徴とする前項のいずれかに記載の容器。
【発明の詳細な説明】
【技術分野】
【０００１】
本発明は、抽出原料の不溶分の保持容積をもつ、熱湯等を注いで作る抽出飲料の準備のための容器に関するもので、その垂線の足で該保持容積に繋がる斜面として形成された底部をもつ請求項1の上位概念による容器から構成されている。
【背景技術】
【０００２】
ドイツ実用新案 DE 1 637 164 U1 から、フィルターなしにコーヒーやお茶を淹れることができるコーヒーカップの形状をした容器が知られている。そこでの容器は、下部にコーヒーの粕や茶葉が沈殿できる空洞が設けられている。その図から読み取れる限り、既知の容器の底部は、抽出原料不溶分の保持のために、断面図においては環状の空洞空間との境界を成す容器内部空間に向かった膨らみを有する。
【発明の概要】
【０００３】
既知の容器の実用的使用では、空洞部があるにもかかわらず、飲む際に不溶分が一緒に流され、結果として飲む楽しみの邪魔となる。
【０００４】
よって前記のものからの当該発明の課題は、熱湯等が注がれる抽出原料不溶分の保持容積が、考えうるあらゆる使用状況下で、茶葉やコーヒーの滓といった不溶分を確実に保持する、熱湯等を注いで作る抽出飲料の準備のためのさらに改良された容器を提供することにある。さらに容器は外見上からは既知のポットや飲料用容器に似通っており、その特別な機能上の特性が形態上は隠されているものとする。最終的に、容器を空にする際の流れの状況を、不溶分が抽出または飲料用の液体と混じらない、少なくともそれを最小限に抑えるものとする。
【０００５】
この発明の課題の解決手段は、請求項１による特徴の組み合わせによるもので、従属請求項には、少なくとも目的に応じた形状やその発展型が提示されている。
【０００６】
よって、抽出原料不溶分の保持容積をもつ、熱湯等を注いで作る抽出飲料の準備のための容器を出発点としている。この保持容積は、容器に一体的に形成された構成要素である。容器自体は焼いたセラミック材料等などの容器本体から成り、その容器本体は保持容積の底部に繋がる斜面として形成された底部を有している。容器本体の底部は、好ましくは平坦で安定感のある面となっている外側底部に包括された内側底部として形成されている。代案として斜面として形成された底部から始まる支持要素を設け、容器を確実に立てることができるようにすることもできる。決定的なのは、熱湯等が注がれた状態で斜面が抽出原料不溶分の重力による動きに関してその効果を発揮することである。
【０００７】
本発明によると保持容積は、特殊なストック空間として形成されている。
【０００８】
このストック空間は、平坦な、斜面の下側に設けられた底部セクションが設けられている。さらには、斜面に向かう接続セクションと、該連接続セクションに対峙して、熱湯を注いでまたは飲む際に効果を発揮する膨らんだ保持セクションがある。
【０００９】
特に保持セクションは、注がれた液体の水面が、不溶分のレベルより下に下がらないように形成されていることから、不溶分が一緒に流れ出すことがなくなる。
【００１０】
本発明の好ましい実施形態においては、容器には、該ストック空間の上部、容器本体の縁に形成された管状の注ぎ口が設けられている。
【００１１】
本発明によると該保持セクションと該注ぎ口の間には、ロートセグメントに繋がる凹部があり、注いたり飲んだりする際に、ストック空間の湯が注がれた物質が流れによって拡散するのを抑止するものとする。
【００１２】
本発明の別の実施形態においては、ストック空間の上部に段状の凹凸が容器に設けられている。この段上の凹凸は、飲んだりまたは注いだりする際の不溶分の保持を補完する働きをする。
【００１３】
この凹凸は容器本体の側壁全体に設けられていてもよいが、代案として容器本体の内側だけに設けられていてもよい。
【００１４】
容器本体構造にわたってこの凹凸を設ける場合には、このいわゆる波状の形を、飲用容器の確実な保持に利用することができ、その限りにおいて容器の周囲に形成することもできる。
【００１５】
好ましい、しかしながら、これに限定されない容器の実施形態は、容器本体が円筒状、一部円筒状、または楕円状の形状を示している。
【００１６】
さらに、該斜面は、容器の底部の一部だけでなく、保持容積を除いて、容器の全底部にわたって設けられていることが好ましい。この場合、斜面は湯を注ぎ入れる際の抽出面として利用できる。
【００１７】
本発明による容器は、単純な飲用容器、耳つきの または耳なしのカップとしてまたは熱湯等を注いで作る抽出飲料を準備する典型的なポットとしても形成することができる。
【図面の簡単な説明】
【００１８】
以下に本発明を実施例と図をもとに詳細にわたって説明する。 
【００１９】
これにおいて、図1から4は、飲用器として形成されている容器の第1の実施例の異なる図面である。
【図１】正面からみた該容器の断面図である。
【図２】第1の実施例による一例としての容器の側面断面図である。
【図３】第1の実施例による該容器の上部からの平面図である。
【図４】図2のA-Aの線にそった断面図である。
【図５】抽出ポットの形での本発明による容器の別の実施例が示され、第2の実施例によるポットの側面図が示されている。
【図６】抽出ポットの形での本発明による容器の別の実施例が示され、抽出ポットの正面図が上部に見てとれる管状の注ぎ口に向かって示されている。
【発明を実施するための形態】
【００２０】
図1から4の図によると第1の実施例は、例えばコーヒーカップの形状といった抽出・飲用カップを含む。コーヒーカップには、熱湯等が注がれたコーヒー7のコーヒーの滓6が沈殿できる保持容積1が設けられている。ここで該容器の底部は斜面2として実現されている。さらに該容器の前側の領域、該保持容積1の上部には、凹凸形状よるリブ5が形成されている。平坦セクション4が、コーヒー7が幅広く均一で浅い流れで流出することを確実にしている。容器の中に目をやると、場合によっては一緒に流れる抽出原料不溶分としての残りのコーヒーの滓を認識することができる。コーヒーが第1の実施例による容器に入れられた後、抽出が行われる。続いてコーヒーの滓が斜面2に沈殿し、重力により保持容積にまたは保持空間1に到達し、そこに集積する（符号6）。
【００２１】
斜面2の下端に対して盛り上り前方に向かって膨らんだセクションがコーヒーの滓3の保持を行い、さらに注ぐ液体の水面が、抽出原料不溶分6のレベル以下に下がることを防ぐ。
【００２２】
基本的に保持容積は、請求項１に記載された条件が満たされる限り、つまり、抽出原料不溶分が確実に収容され、注ぐ際に確実に保持される限り、異なる形状に形成できる。
【００２３】
別の実施例においては抽出ポット10から出発している。抽出ポット10は管状の注ぎ口11を持ち、内部空洞を包括する容器本体から成る。
【００２４】
この内部空洞には、保持容積1であるストック空間12がある。
【００２５】
同じく内部容積に設けられた斜面2は破線で示されている。
【００２６】
斜面2の下側において、ストック空間12は、図5において一点破線で示した底部セクション13を包括する。
【００２７】
底部セクション13と斜面2の間に点線で表された連接セクション14がある。
【００２８】
さらに、連接セクション14に対向して、注いだり飲んだりする際に効果を発揮する、図5では破線とxで示された膨らんだ保持セクション15が設けられている。
【００２９】
前述した管状の該注ぎ口11は、ストック空間12の上部に、詳しくは上部の縁16の領域に形成されている。
【００３０】
保持セクション15と該注ぎ口11の間に、点と線とxで示された凹部17が設けられている。
【００３１】
該凹部17は図5と図6の全体像から見て取れるロートセグメント8に繋がっている。該ロートセグメント18は2点鎖線にて示されている。
【００３２】
該ロートセグメント18は凹部17と保持セグメント15ともに、ストック空間12にある抽出原料構成要素の流れによる拡散を抑制する働きを行う。
【００３３】
該ポット状の抽出容器10は、平坦な外側の底部19とそれ自体は既知の取手20を備える。図5と6に挙げられている寸法は、純粋なる一例であり、これに関する大きさ寸法の可能な数値設定に関して何ら制限するものではない。
【００３４】
図5と図6による実施例には、第1の実施例で示したような凹凸部5の形状によるリブが設けられていないが、これに関わるセグメント18、つまりロートセグメント18の領域に相応するリブを形成することは当然ながら可能である。
【図１】
2017511741.tif 000003
【図２】
2017511741.tif 000004
【図３】
2017511741.tif 000005
【図４】
2017511741.tif 000006
【図５】
2017511741.tif 000007
【図６】
2017511741.tif 000008
【国際調査報告】
2017511741.tif 000009
2017511741.tif 000010
2017511741.tif 000011
2017511741.tif 000012